(57)【要約】【課題】  広告情報を見たり受信したりする人にとって、不要な広告を少なくすることができる広告情報表示システム、広告装置、通信装置、広告情報表示方法を提供する。【解決手段】  広告情報表示システムは、広告サーバ１２と、携帯電話機１４が設置された移動体としての自動車１５と、広告情報を表示する広告装置２２とを含んだ構成になっている。自動車１５の運転者は、自動車１５に蓄電された電気が少なくなると、電気の供給を行う電気スタンド１６に立ち寄って電気を供給する。このとき、広告装置２２は、第１、第２通信装置１８，２０を介して、携帯電話機１４と光通信によって携帯電話機１４に保有された広告データを収集する。携帯電話機１４に保有された広告データは、携帯電話機１４の保有者が欲しい広告情報を広告サーバ１２からダウンロードしたものである。この広告情報を、広告装置２２の表示部２１に表示させる。【選択図】      図１
2006178259.tif 000002
【特許請求の範囲】
【請求項１】
移動体に設けられ広告データを所有する携帯端末と電気的に接続することが可能な通信装置と、
前記通信装置から前記広告データを収集する広告装置とを有し、
前記通信装置は、前記携帯端末が所有する前記広告データを前記広告装置に送信する送信部を備え、
前記広告装置は、前記送信部から送信された前記広告データを受信する受信部と、前記受信部で受信した前記広告データに基づく広告情報を表示する表示部と、
を有することを特徴とする広告情報表示システム。
【請求項２】
広告データを所有する携帯端末と、前記携帯端末と電気的に接続することが可能な通信装置と、が備えられた移動体と、
広告表示場所に設置され前記通信装置から前記広告データを収集する広告装置とを有し、
前記通信装置は、前記広告データを前記広告装置に送信する送信部を備え、
前記広告装置は、前記送信部から送信された前記広告データを受信する受信部と、前記受信部で受信した前記広告データに基づく広告情報を表示する表示部と、
を有することを特徴とする広告情報表示システム。
【請求項３】
広告データをメモリに記憶する携帯端末と、前記携帯端末と通信可能に電気的に接続することが可能な通信装置とが備えられた移動体と、
前記移動体が停車位置に停車した際に前記通信装置と通信可能な通信エリア内で受信をすることが可能な広告表示場所に設置され前記通信装置から前記広告データを収集する広告装置とを有し、
前記通信装置は、前記広告データを前記広告装置に送信する送信部を備え、
前記広告装置は、前記送信部から送信された前記広告データを受信する受信部と、前記受信した前記広告データに基づく広告情報を表示することが可能な表示部と、
前記受信部が前記通信装置の送信部から広告データを受信すると、当該広告データに含まれる表示期限データを調べ表示期限内であるか否かを判定する判定部と、
前記判定部により表示期限内であると判定された場合に前記広告データに基づく広告情報を前記表示部に表示させるとともに、一方、表示期限内でないと判定された場合は前記広告データに基づく広告情報を前記表示部に表示させない表示制御部と、
を有することを特徴とする広告情報表示システム。
【請求項４】
請求項３に記載の広告情報表示システムであって、
前記広告装置は、停車位置に停車した各移動体の携帯端末から収集した広告データを識別して受信回数または受信頻度を管理する受信管理部を更に備え、
前記表示制御部は、前記受信管理部の管理内容に基づき受信回数または受信頻度の高い広告データほど当該広告データに基づく広告情報の１回当たりの表示時間を長くする、または前記広告データの１回の受信当たりの表示回数を多くするように当該広告情報を前記表示部に表示することを特徴とする広告情報表示システム。
【請求項５】
請求項３又は４に記載の広告情報表示システムであって、
前記広告装置は、前記受信部にて前記通信装置の送信部から収集した広告データを記憶する記憶部と、
前記受信部にて前記通信装置の送信部から新規の広告データを収集すると、当該新規の広告データと同じ広告データが前記記憶部に記憶されているか否かを調べ、前記記憶部に同じ広告データが記憶されていた場合は当該同じ広告データおよび前記新規の広告データに各々含まれる更新日データを比較し、そのうち更新日の一番新しい広告データを選択する選択部とを備え、
前記表示制御部は、前記選択部により選択された広告データに基づく広告情報を前記表示部に表示させることを特徴とする広告情報表示システム。
【請求項６】
請求項１〜５のいずれか一項に記載の広告情報表示システムであって、
前記広告データを提供する広告サーバを更に有し、
前記携帯端末は、通信ネットワークを通じて前記広告サーバと接続可能な第１通信接続部を有し、前記第１通信接続部を介してアクセスした前記広告サーバが開設する広告サイトにユーザ登録して取得したユーザ身分証明用の第１ＩＤデータと、前記広告サーバの前記広告サイトからダウンロードした前記広告データとを前記メモリに記憶するように構成され、
前記広告装置は、通信ネットワークを通じて前記広告サーバと接続可能な第２通信接続部を有し、前記第２通信接続部を介してアクセスした前記広告サーバが開設する広告サイトに登録して取得した広告表示者身分証明用の第２ＩＤデータを記憶部に記憶するとともに、前記受信部にて前記広告データを受信するに当たって前記携帯端末のメモリに記憶された前記第１ＩＤデータも受信して前記記憶部に記憶し、当該広告データに基づく広告情報を前記表示部に表示の後、広告表示の旨を前記第１および第２ＩＤデータと共に前記第２通信接続部を介して前記広告サーバに送信するように構成され、
前記広告サーバは、前記広告装置から前記広告表示の旨と共に受信した前記第１および第２ＩＤデータのうち少なくとも前記第１ＩＤデータにより特定されるアドレス先の前記携帯端末に所定のサービスを付与するデータを送信することを特徴とする広告情報表示システム。
【請求項７】
請求項１〜６のいずれか一項に記載の広告情報表示システムであって、
前記通信装置が備える前記送信部は光通信による送受信が可能な第１通信部であり、前記広告装置が備える前記受信部は光通信による送受信が可能な第２通信部であり、
前記第１通信部は、前記移動体において前記広告装置側の前記第２通信部の設置高さと略同じ高さに配置されており、
前記移動体が停車位置に停車して前記第１通信部および第２通信部が光通信可能な位置関係に配置され両者の通信が確立すると、前記広告装置は前記通信装置を介して前記携帯端末に広告データの送信要求をし、
前記送信要求を受信した前記携帯端末は前記メモリに広告データを記憶していた場合は前記メモリから読み出した当該広告データを前記通信装置を介して前記広告装置に送信することを特徴とする広告情報表示システム。
【請求項８】
請求項１〜７のいずれか一項に記載の広告情報表示システムであって、
前記広告データは、画像データおよび音声データのうち少なくとも一方を有することを特徴とする広告情報表示システム。
【請求項９】
請求項１〜８のいずれか一項に記載の広告情報表示システムであって、
前記携帯端末は、携帯電話機であることを特徴とする広告情報表示システム。
【請求項１０】
請求項１〜９のいずれか一項に記載の広告情報表示システムであって、
前記移動体は、電気によって駆動する電気自動車であり、
前記広告装置は、前記電気自動車が電気を供給する電気スタンドに設けられていることを特徴とする広告情報表示システム。
【請求項１１】
請求項１〜３のいずれか一項に記載の広告情報表示システムに適用される広告装置であって、
通信装置から送信された広告データを受信する受信部と、
前記受信部で受信した前記広告データに基づく広告情報を表示する表示部とを有し、
前記受信部は、受光素子であり、
前記通信装置に設けられた発光素子と前記受光素子との間で光通信を行うことによって前記広告データの受信を行うことを特徴とする広告装置。
【請求項１２】
請求項１〜３のいずれか一項に記載の広告情報表示システムに適用される通信装置であって、
広告データを所有する携帯端末と電気的に接続され、広告装置に前記広告データを送信する送信部を有し、
前記送信部は、発光素子であることを特徴とする通信装置。
【請求項１３】
請求項１２に記載の通信装置であって、
前記発光素子は、面発光型半導体レーザであることを特徴とする通信装置。
【請求項１４】
請求項１２又は１３に記載の通信装置であって、
前記携帯端末は、携帯電話機であることを特徴とする通信装置。
【請求項１５】
請求項１２〜１４のいずれか一項に記載の通信装置であって、
前記通信装置が移動体に設けられていることを特徴とする通信装置。
【請求項１６】
移動体に設けられ広告データを所有する携帯端末と電気的に接続することが可能な通信装置と、
前記通信装置から前記広告データを収集する広告装置とを有し、
前記通信装置は、前記携帯端末が所有する前記広告データを前記広告装置に送信する送信部を備え、
前記広告装置は、前記送信部から送信された前記広告データを受信する受信部と、前記受信部で受信した前記広告データに基づく広告情報を表示する表示部と、
を有する広告情報表示システムを用いた広告情報表示方法であって、
前記広告装置はプログラムを実行させるコンピュータを有し、
前記受信部によって受信した前記広告データに含まれる表示期限データを調べ表示期限内であるか否かを判定するステップと、
前記判定するステップにより表示期限内であると判定された場合に前記広告データに基づく広告情報を前記表示部に表示させるとともに、一方、表示期限内でないと判定された場合は前記広告データに基づく広告情報を前記表示部に表示させないステップと、
を前記コンピュータが実行させることを特徴とする広告情報表示方法。
【請求項１７】
請求項１６に記載の広告情報表示方法であって、
停車位置に停車した各移動体の携帯端末から収集した広告データを識別して受信回数または受信頻度を管理するステップと、
前記管理するステップに基づき受信回数または受信頻度の高い広告データほど当該広告データに基づく広告情報の１回当たりの表示時間を長くする、または前記広告データの１回の受信当たりの表示回数を多くするように当該広告情報を前記表示部に表示させるステップと、
を前記コンピュータが更に実行させることを特徴とする広告情報表示方法。
【請求項１８】
請求項１６又は１７に記載の広告情報表示方法であって、
前記広告装置は、前記受信部にて受信した広告データを記憶する記憶部を備え、
前記受信部にて受信した広告データを記憶部に記憶するステップと、
前記受信部にて新規の広告データを受信すると、当該新規の広告データと同じ広告データが前記記憶部に記憶されているか否かを調べ、前記記憶部に同じ広告データが記憶されていた場合は当該同じ広告データおよび前記新規の広告データに各々含まれる更新日データを比較し、そのうち更新日の一番新しい広告データを選択するステップと、
前記選択するステップで選択された広告データに基づく広告情報を前記表示部に表示させるステップと、
を前記コンピュータが更に実行させることを特徴とする広告情報表示方法。
【発明の詳細な説明】
【技術分野】
【０００１】
本発明は、広告情報表示システム、広告装置、通信装置、広告情報表示方法に関する。
【背景技術】
【０００２】
従来、広告情報の表示方法は、人が大勢集まるような場所に表示して広告効果を高めていた。例えば、お店に広告情報が記載されたポスターを貼り付けたり、広告情報を表示するディスプレイ装置を設置したり、道路沿いに広告看板を設置したりするなどして、不特定多数の人に向けて表示していた。
また、例えば、位置情報を発信する自動車が広告の提供を行う道路区間にあるとき、自動車に載置されているナビゲーション装置へ広告データを送信し、ディスプレイに広告情報を表示したり、スピーカから広告情報を流したりしている方法が知られている（例えば、特許文献１）。
【０００３】
【特許文献１】特開２００２−２８８５１８号公報
【発明の開示】
【発明が解決しようとする課題】
【０００４】
しかしながら、上記従来の広告情報の提供方法では、広告依頼主の要望により広告情報を掲示したり、広告情報を送信したりするものであって、広告情報を見たり受信したりする人が要望する広告情報でないことが多かった。よって、その人達にとって不要な広告情報が多いという問題があった。また、必要な広告情報があったとしても、不要な広告情報の中に埋もれてしまって見つけずらいという問題があった。
【０００５】
本発明は、このような従来の方法の有する未解決な課題に着目してなされたものであって、広告情報を見たり受信したりする人にとって、不要な広告を少なくすることができる広告情報表示システム、広告装置、通信装置、広告情報表示方法を提供することを目的とする。
【課題を解決するための手段】
【０００６】
上記問題を解決するために、本発明に係る広告情報表示システムは、移動体に設けられ広告データを所有する携帯端末と電気的に接続することが可能な通信装置と、前記通信装置から前記広告データを収集する広告装置とを有し、前記通信装置は、前記携帯端末が所有する前記広告データを前記広告装置に送信する送信部を備え、前記広告装置は、前記送信部から送信された前記広告データを受信する受信部と、前記受信部で受信した前記広告データに基づく広告情報を表示する表示部と、を有する。
【０００７】
この構成によれば、広告情報表示システムは、携帯端末に保有する広告データを、移動体の通信装置に備えられた送信部から広告装置に備えられた受信部によって受信するので、広告装置は、有益な広告データを収集することができる。例えば、地元のお店の安売り広告情報であれば、大勢の人が知りたいと思っている広告データである可能性が高い。そして、広告装置の表示部に、この広告データに基づく広告情報を表示させることで、携帯端末の保有者のみでなく大勢の人に知らせることができる。その結果、広告情報を見たり受信したりする人に対して、有益な（厳選された）広告情報を表示させることができ、不要な広告情報を少なくすることができる。
【０００８】
本発明に係る広告情報表示システムでは、広告データを所有する携帯端末と、前記携帯端末と電気的に接続することが可能な通信装置と、が備えられた移動体と、広告表示場所に設置され前記通信装置から前記広告データを収集する広告装置とを有し、前記通信装置は、前記広告データを前記広告装置に送信する送信部を備え、前記広告装置は、前記送信部から送信された前記広告データを受信する受信部と、前記受信部で受信した前記広告データに基づく広告情報を表示する表示部と、を有する。
【０００９】
この構成によれば、携帯端末が保有する広告データを、移動体の通信装置に備えられた送信部から広告装置に備えられた受信部によって受信するので、広告装置は、有益な広告データを収集することができる。例えば、地元のお店の安売り広告情報であれば、大勢の人が知りたいと思っている広告データである可能性が高い。そして、広告装置の表示部に、この広告データに基づく広告情報を表示させることで、携帯端末の保有者のみでなく大勢の人に知らせることができる。その結果、広告情報を見たり受信したりする人に対して、有益な（厳選された）広告情報を表示させることができ、不要な広告情報を少なくすることができる。
【００１０】
本発明に係る広告情報表示システムでは、広告データをメモリに記憶する携帯端末と、前記携帯端末と通信可能に電気的に接続することが可能な通信装置とが備えられた移動体と、前記移動体が停車位置に停車した際に前記通信装置と通信可能な通信エリア内で受信をすることが可能な広告表示場所に設置され前記通信装置から前記広告データを収集する広告装置とを有し、前記通信装置は、前記広告データを前記広告装置に送信する送信部を備え、前記広告装置は、前記送信部から送信された前記広告データを受信する受信部と、前記受信した前記広告データに基づく広告情報を表示することが可能な表示部と、前記受信部が前記通信装置の送信部から広告データを受信すると、当該広告データに含まれる表示期限データを調べ表示期限内であるか否かを判定する判定部と、前記判定部により表示期限内であると判定された場合に前記広告データに基づく広告情報を前記表示部に表示させるとともに、一方、表示期限内でないと判定された場合は前記広告データに基づく広告情報を前記表示部に表示させない表示制御部と、を有する。
【００１１】
この構成によれば、判定部によって、収集した広告データに含まれる表示期限データを調べ、表示制御部によって、表示期限内であれば表示し、表示期限内でない広告データについては表示させないので、広告表示期限の過ぎた広告データを収集してしまった場合でも、広告表示期限過ぎの広告情報を表示することを回避できる。
【００１２】
本発明に係る広告情報表示システムでは、前記広告装置は、停車位置に停車した各移動体の携帯端末から収集した広告データを識別して受信回数または受信頻度を管理する受信管理部を更に備え、前記表示制御部は、前記受信管理部の管理内容に基づき受信回数または受信頻度の高い広告データほど当該広告データに基づく広告情報の１回当たりの表示時間を長くする、または前記広告データの１回の受信当たりの表示回数を多くするように当該広告情報を前記表示部に表示することが望ましい。
【００１３】
この構成によれば、受信管理部によって、広告データの受信回数または受信頻度を管理し、表示制御部によって、受信回数または受信頻度が高く大勢がダウンロードしたとみなされる利用価値の高い広告データの広告情報ほど、通常よりも（具体的内容を記載）高い表示頻度で表示部に表示することが可能となる。従って、利用価値の高い広告情報ほど大勢の目に触れるようにすることができる。
【００１４】
本発明に係る広告情報表示システムでは、前記広告装置は、前記受信部にて前記通信装置の送信部から収集した広告データを記憶する記憶部と、前記受信部にて前記通信装置の送信部から新規の広告データを収集すると、当該新規の広告データと同じ広告データが前記記憶部に記憶されているか否かを調べ、前記記憶部に同じ広告データが記憶されていた場合は当該同じ広告データおよび前記新規の広告データに各々含まれる更新日データを比較し、そのうち更新日の一番新しい広告データを選択する選択部とを備え、前記表示制御部は、前記選択部により選択された広告データに基づく広告情報を前記表示部に表示させることが望ましい。
【００１５】
この構成によれば、選択部によって、同じ広告データを収集した場合に各々の広告データに含まれる更新日データを比較しそのうち一番新しい更新日データを有する広告データを選択するので、広告装置に収集された広告データが更新日の古いものであっても、過去にそれより新しい更新日の広告データが収集されたことがあれば、より新しい更新日の広告情報を表示することができる。
【００１６】
本発明に係る広告情報表示システムでは、前記広告データを提供する広告サーバを更に有し、前記携帯端末は、通信ネットワークを通じて前記広告サーバと接続可能な第１通信接続部を有し、前記第１通信接続部を介してアクセスした前記広告サーバが開設する広告サイトにユーザ登録して取得したユーザ身分証明用の第１ＩＤデータと、前記広告サーバの前記広告サイトからダウンロードした前記広告データとを前記メモリに記憶するように構成され、前記広告装置は、通信ネットワークを通じて前記広告サーバと接続可能な第２通信接続部を有し、前記第２通信接続部を介してアクセスした前記広告サーバが開設する広告サイトに登録して取得した広告表示者身分証明用の第２ＩＤデータを記憶部に記憶するとともに、前記受信部にて前記広告データを受信するに当たって前記携帯端末のメモリに記憶された前記第１ＩＤデータも受信して前記記憶部に記憶し、当該広告データに基づく広告情報を前記表示部に表示の後、広告表示の旨を前記第１および第２ＩＤデータと共に前記第２通信接続部を介して前記広告サーバに送信するように構成され、前記広告サーバは、前記広告装置から前記広告表示の旨と共に受信した前記第１および第２ＩＤデータのうち少なくとも前記第１ＩＤデータにより特定されるアドレス先の前記携帯端末に所定のサービスを付与するデータを送信することが望ましい。
【００１７】
この構成によれば、第１通信接続部によって携帯端末と広告サーバとが接続することが可能となり、広告サイトにユーザ登録して第１ＩＤデータを取得することができる。また、第２通信接続部によって広告装置と広告サーバとが接続することが可能となり、広告サイトにユーザ登録して第２ＩＤデータを取得することができる。そして、広告装置は、携帯端末から広告データおよび第１ＩＤデータを取得し、広告情報を表示したあとに、広告サーバに少なくとも第１ＩＤデータを送信する。よって、広告サーバは、広告表示に携わった少なくとも携帯端末を特定することが可能となる。その結果、広告装置を所有する広告表示者と、表示部に表示された広告情報の元となる広告データを提供したユーザのうち少なくともユーザは、広告サイト開設者から広告情報の表示に貢献した謝礼として例えば広告料やポイント、割引、優待などのサービスを受けることができる。
【００１８】
本発明に係る広告情報表示システムでは、前記通信装置が備える前記送信部は光通信による送受信が可能な第１通信部であり、前記広告装置が備える前記受信部は光通信による送受信が可能な第２通信部であり、前記第１通信部は、前記移動体において前記広告装置側の前記第２通信部の設置高さと略同じ高さに配置されており、前記移動体が停車位置に停車して前記第１通信部および第２通信部が光通信可能な位置関係に配置され両者の通信が確立すると、前記広告装置は前記通信装置を介して前記携帯端末に広告データの送信要求をし、前記送信要求を受信した前記携帯端末は前記メモリに広告データを記憶していた場合は前記メモリから読み出した当該広告データを前記通信装置を介して前記広告装置に送信することが望ましい。
【００１９】
この構成によれば、第１通信部と第２通信部とが、略同じ高さになるように配置されているので、移動体の停車位置を略決めておくことにより通信することが可能となる。お互いの通信が確立すると、携帯端末は、広告装置からの要求信号により広告データを広告装置に送信する。よって、移動体が停車位置に停車したときに携帯端末にダウンロードされていた広告データを、移動体搭乗者の手を煩わせることなく（送信操作などさせることなく）自動的に広告装置へ送信させることができる。また、光通信なので、例えば移動体が電気自動車であって広告表示場所が移動体に電気を充電する際に電波（電磁波）が発生する電気スタンドである場合であっても、そのような電波（電磁波）に邪魔されることなく広告データを移動体側から広告装置側へ受け渡すことができる。
【００２０】
本発明に係る広告情報表示システムでは、前記広告データは、画像データおよび音声データのうち少なくとも一方を有することが望ましい。
【００２１】
この構成によれば、画像や音声を含む広告データなので、広告情報を見たり聴いたりする人にとって、広告効果をより大きくすることができる。
【００２２】
本発明に係る広告情報表示システムでは、前記携帯端末は、携帯電話機であることが望ましい。
【００２３】
この構成によれば、携帯電話機なので多くの人が所有しており、この携帯電話機から広告データを収集するので、より多くの広告データを受け取ることができる。また、広告情報表示システムを一般に市販されている携帯電話機で構成するので、広告情報表示システムを構築する費用を抑制することができる。
【００２４】
本発明に係る広告情報表示システムでは、前記移動体は、電気によって駆動する電気自動車であり、前記広告装置は、前記電気自動車が電気を供給する電気スタンドに設けられていることが望ましい。
【００２５】
この構成によれば、電気自動車は、電気スタンドから電気の供給を受けるときであっても、広告データの送受信に光通信を用いているので、電気を充電する際に電波（電磁波）が発生する電気スタンドである場合であっても、そのような電波（電磁波）に邪魔されることなく広告データを移動体側から広告装置側へ受け渡すことができる。
【００２６】
上記問題を解決するために、本発明に係る広告装置は、広告情報表示システムに適用される広告装置であって、通信装置から送信された広告データを受信する受信部と、前記受信部で受信した前記広告データに基づく広告情報を表示する表示部とを有し、前記受信部は、受光素子であり、前記通信装置に設けられた発光素子と前記受光素子との間で光通信を行うことによって前記広告データの受信を行う。
【００２７】
この構成によれば、発光素子によって電気信号を光信号に変換し、受光素子によって光信号を電気信号に変換するので、広告データを発光素子と受光素子との間で光通信で送受信することができる。よって、固定されていない移動体から固定された広告装置に、お互いを無線で接続することなく容易に広告データを送信することが可能となる。また、光通信を行うので、画像のように大きなデータであっても、瞬時にデータを送受信することができる。従って、表示部によって、携帯端末を保有する人が必要と思って得た広告データに基づく広告情報を、表示させることが可能となる。その結果、不要な広告情報をより少なくして表示することができるとともに、大勢の人に広告情報を見てもらうことができる。
【００２８】
上記問題を解決するために、本発明に係る通信装置は、広告情報表示システムに適用される通信装置であって、広告データを所有する携帯端末と電気的に接続され、広告装置に前記広告データを送信する送信部を有し、前記送信部は、発光素子である。
【００２９】
この構成によれば、発光素子によって広告データを電気信号から光信号に変換して、光通信によって広告装置に送信することができる。よって、固定されていない移動体から固定された広告装置に、お互いを無線で接続することなく容易に広告データを送信することが可能となる。また、光通信を行うので、画像のように大きなデータであっても、瞬時にデータを送受信することができる。従って、表示装置によって、携帯端末を保有する人が必要と思って得た広告データに基づく広告情報を、表示させることが可能となる。その結果、不要な広告情報をより少なくして表示することができるとともに、大勢の人に広告情報を見てもらうことができる。
【００３０】
本発明に係る通信装置では、前記発光素子は、面発光型半導体レーザであることが望ましい。
【００３１】
この構成によれば、面発光型半導体レーザなので、指向性が高く、通信装置から広告装置などのように、特定の相手に絞って広告データを送信することができる。よって、例えば、お互いに契約を結んでいないような大勢の人に広告データを受け取られないようにすることができる。
【００３２】
本発明に係る通信装置では、前記携帯端末は、携帯電話機であることが望ましい。
【００３３】
この構成によれば、携帯電話機を利用して広告サーバから広告データをダウンロードするので、大勢の人がこの通信装置を利用することができる。大勢の人がこの通信装置を利用することにより、有益な広告データをより収集することができる。
【００３４】
本発明に係る通信装置では、前記通信装置が移動体に設けられていることが望ましい。
【００３５】
この構成によれば、移動体に通信装置があるので、固定された広告表示場所のみでなく、広範囲の広告表示場所に設置された広告装置に対して広告データを提供することができる。よって、不要な広告情報をより少なくした有益な広告情報を大勢の人に提供することができる。
【００３６】
上記問題を解決するために、本発明に係る広告情報表示方法は、移動体に設けられ広告データを所有する携帯端末と電気的に接続することが可能な通信装置と、前記通信装置から前記広告データを収集する広告装置とを有し、前記通信装置は、前記携帯端末が所有する前記広告データを前記広告装置に送信する送信部を備え、前記広告装置は、前記送信部から送信された前記広告データを受信する受信部と、前記受信部で受信した前記広告データに基づく広告情報を表示する表示部と、を有する広告情報表示システムを用いた広告情報表示方法であって、前記広告装置はプログラムを実行させるコンピュータを有し、前記受信部によって受信した前記広告データに含まれる表示期限データを調べ表示期限内であるか否かを判定するステップと、前記判定するステップにより表示期限内であると判定された場合に前記広告データに基づく広告情報を前記表示部に表示させるとともに、一方、表示期限内でないと判定された場合は前記広告データに基づく広告情報を前記表示部に表示させないステップと、を前記コンピュータが実行させる。
【００３７】
この構成によれば、収集した広告データに含まれる表示期限データを調べ表示期限内であるか否かを判断し、表示期限内であれば表示部に表示し、表示期限内でなければ表示部に表示しないようにコンピュータが実行させるので、広告表示期限の過ぎた広告データを収集してしまった場合でも、広告表示期限過ぎの広告情報を表示することを回避できる。
【００３８】
本発明に係る広告情報表示方法では、停車位置に停車した各移動体の携帯端末から収集した広告データを識別して受信回数または受信頻度を管理するステップと、前記管理するステップに基づき受信回数または受信頻度の高い広告データほど当該広告データに基づく広告情報の１回当たりの表示時間を長くする、または前記広告データの１回の受信当たりの表示回数を多くするように当該広告情報を前記表示部に表示させるステップと、を前記コンピュータが更に実行させることが望ましい。
【００３９】
この構成によれば、収集した広告データの受信回数または受信頻度を管理し、受信回数または受信頻度が高く大勢がダウンロードしたとみなされる利用価値の高い広告データの広告情報ほど、通常よりも（具体的内容を記載）高い表示頻度で表示部に表示させるようにコンピュータが実行させるので、利用価値の高い広告情報ほど大勢の目に触れるようにすることができる。
【００４０】
本発明に係る広告情報表示方法では、前記広告装置は、前記受信部にて受信した広告データを記憶する記憶部を備え、前記受信部にて受信した広告データを記憶部に記憶するステップと、前記受信部にて新規の広告データを受信すると、当該新規の広告データと同じ広告データが前記記憶部に記憶されているか否かを調べ、前記記憶部に同じ広告データが記憶されていた場合は当該同じ広告データおよび前記新規の広告データに各々含まれる更新日データを比較し、そのうち更新日の一番新しい広告データを選択するステップと、前記選択するステップで選択された広告データに基づく広告情報を前記表示部に表示させるステップと、を前記コンピュータが更に実行させることが望ましい。
【００４１】
この構成によれば、収集（受信）した広告データを記憶部に記憶したあと、新規の広告データを収集したときには、新規の広告データが記憶部に記憶された広告データと同じ物であるか否かを調べ、同じ広告データであれば各々に含まれる更新日データを比較し、そのうち一番新しい更新日データを選択するので、広告装置によって収集された広告データが更新日の古いものであっても、過去にそれより新しい更新日の広告データが収集されていれば、より新しい更新日の広告情報を表示することできる。
【発明を実施するための最良の形態】
【００４２】
図１は、広告情報表示システムの構成を模式的に示す構成図である。以下、広告情報表示システムの構成を、図１を参照しながら説明する。
【００４３】
図１に示すように、広告情報表示システム１１は、広告サーバ１２と、プロバイダ１３と、携帯端末としての携帯電話機１４が設置された移動体としての自動車１５と、自動車１５に電気の供給を行う電気スタンド１６とを含んだ構成になっている。
【００４４】
広告サーバ１２は、複数の広告主から依頼された複数の広告データを保有している。広告データは、携帯電話機１４の保有者がダウンロードした、例えば、電気スタンド１６付近にある地元のお店の情報や、地元の交通渋滞情報、競技場の観戦情報、チケット販売情報など様々である。
【００４５】
プロバイダ１３は、インターネット１７への接続サービスを提供している。プロバイダ１３によって、携帯電話機１４からインターネット１７を介して広告サーバ１２へアクセスすることが可能となっている。
【００４６】
自動車１５は、携帯電話機１４と通信装置を構成する第１通信部である第１通信装置１８を備えている。本実施形態の自動車１５は、電気を駆動源として駆動させる電気自動車である。自動車１５の運転者は、自動車１５に蓄電された電気が少なくなると、電気の供給を行う電気スタンド１６に立ち寄って電気を供給する。携帯電話機１４の保有者（例えば、自動車１５の運転者）は、例えば、自動車１５を運転するとき、携帯電話機１４を載置部（クレードル）３１（図３参照）に載置し、運転の障害にならないようにしている。
【００４７】
携帯電話機１４は、携帯電話機１４の保有者が知りたい広告情報を広告サーバ１２からダウンロードするときに用いられる。携帯電話機１４は、プロバイダ１３を介してインターネット１７に接続し、広告サーバ１２から広告情報の基になる広告データを受け取ることが可能になっている。ダウンロードした広告データは、内部の第１ＲＡＭ３３（図３参照）に記憶される。携帯電話機１４は、運転中や使用しないとき、例えば載置部３１（図３参照）に載置して固定される。本実施形態の携帯電話機１４は、プロバイダ１３を介してインターネット１７に接続することが可能な、一般に市販されているものである。
【００４８】
第１通信装置１８は、接続ケーブル１９を介して載置部３１（図３参照）と電気的に接続されている。第１通信装置１８は、載置部３１に携帯電話機１４を載置することで、携帯電話機１４と電気的に接続することが可能となる。
【００４９】
電気スタンド１６は、通信装置を構成する第２通信部である第２通信装置２０、コンピュータおよび表示部２１を備えた広告装置２２と、自動車１５に電気を供給する電気供給機２３とを有する。なお、本実施形態では、電気スタンド１６には、複数の電気供給機２３が備えられており、電気供給機２３の数量と同等に広告装置２２が設置されているものとする。
【００５０】
広告装置２２の第２通信装置２０は、第１通信装置１８と光通信することが可能となっている。例えば、自動車１５を電気供給機２３から電気の供給を受ける停車位置（図２参照）に停車させたときに、第１通信装置１８と光通信が行われる。第２通信装置２０は、自動車１５の停車位置（電気供給機２３と電気供給口２４との位置）にバラツキが生じたとしても光通信することができるように、自動車１５の進行方向に複数の通信部（図示せず）が列状に備えられている。第１通信装置１８は、自動車１５が予め決められた停車位置にその進行方向に多少ばらついて停車しても、給電可能なエリア（給電エリアと称す）内であれば第２通信装置２０を構成する複数の通信部のうちいずれかと光通信することが可能となっている。
【００５１】
広告装置２２の表示部２１は、接続ケーブル２６を介して第２通信装置２０と接続されている。表示部２１では、第２通信装置２０によって収集（受信）した広告データに基づく広告情報の表示が行われる。この表示部２１への広告情報の表示処理は、コンピュータが行う。この表示部２１は、電気スタンド１６および電気スタンド１６付近を通る他の自動車や歩行者などに広告情報を表示することが可能となっている。表示部２１は、第２通信装置２０と接続可能な範囲であれば、例えば、電気供給機２３の側方に設けられていても良いし、電気供給機２３から離れている場所に設けられていても良い。この表示部２１によって、大勢の人に広告データに基づく広告情報の表示を行うことが可能となる。つまり、広告装置２２は、携帯電話機１４の保有者が携帯電話機１４を使って取得した広告データを更に収集（受信）し、表示部２１に広告情報として表示させる二次利用を行っている。
【００５２】
電気供給機２３は、電気を駆動源とする自動車（電気自動車）１５に、電気の供給を行う。電気供給機２３には、電気を蓄える本体２３ａと、電気を送るための電気供給ケーブル２３ｂと、導通させる部分の先端部２３ｃとを有する。電気供給ケーブル２３ｂの先端部２３ｃと、自動車１５の電気供給口２４とを電気的に接触させることにより、本体２３ａから自動車１５に、電気の供給（充電）が行われる。先端部２３ｃと電気供給口２４とを接触させたとき、例えば、電気ノイズ（電波）が発生する。
【００５３】
図２は、自動車と広告装置とが、光通信を行っている状態を示した模式図である。なお、図２に示す模式図は、図１における自動車１５が電気スタンド１６の給電エリアに入り、電気供給機２３から電気供給口２４に電気の供給を行っているときを、自動車１５の進行方向側から見ている状態を示す。以下、携帯電話機１４と広告装置２２とが光通信を行っている状態を、図２を参照しながら説明する。
【００５４】
図２に示すように、自動車１５は、電気を供給するために電気供給口２４と電気供給機２３との位置（図１参照）を略合わせるように停車するすることにより、自動車１５に備えられた第１通信装置１８と、広告装置２２に備えられた第２通信装置２０とが、光通信することが可能となる。第２通信装置２０は、上記したように、複数の通信部（図示せず）を備えているので、自動車１５の停車位置にバラツキがあったとしても、第２通信装置２０が設置されている範囲内であれば、第１通信装置１８と光通信することができる。また、第１通信装置１８と第２通信装置２０とは、地上２７からの高さをお互いに決めておくことになっているので、高さ方向の光の位置ずれを抑制することが可能となり、光通信を行うことができる。
【００５５】
光通信を行うメリットは、例えば、本実施形態のように、電気スタンド１６で自動車１５に電気の供給を行うとき、電気供給口２４と先端部２３ｃとが接触した部分に発生する電気ノイズ（電波）に影響されることなく、第１通信装置１８と第２通信装置２０とによって広告データの送受信を行うことができる。また、光通信を行うことによって、伝送効率を向上させることが可能となり、動画や音声などのような大きな容量のデータを、瞬時に送受信することができる。動画のデータ容量は、例えば、数ギガ（Ｇ）バイト程度である。
【００５６】
図３は、携帯電話機および第１通信装置と、広告装置との電気的構成を模式的に示すブロック図である。以下、第１通信装置１８と広告装置２２との電気的な構成を、図３を参照しながら説明する。
【００５７】
図３に示すように、自動車１５は、携帯電話機１４と、携帯電話機１４を載置する載置部３１と、第１通信装置１８と、第１通信装置１８と載置部３１とを接続する接続ケーブル１９とを有する。
【００５８】
携帯電話機１４は、携帯電話機１４に内蔵された第１ＣＰＵ３２と、第１ＲＡＭ３３とを有する。第１ＣＰＵ３２は、例えば、広告サーバ１２から広告サイトにアクセスして広告データを受信（ダウンロード）するためのプログラムを実行させる。
第１ＲＡＭ３３には、例えば、広告サーバ１２からダウンロードした広告データが記憶される。
【００５９】
載置部３１は、携帯電話機１４と電気的に接続することが可能な接続ケーブル３４を有する。接続ケーブル３４と、携帯電話機１４に内蔵された第１ＣＰＵ３２および第１ＲＡＭ３３とは、携帯電話機１４を載置部３１に載置することで電気的に接続される。
【００６０】
第１通信装置１８は、送信部としての第１発光素子３５と、第１受光素子３６と、光信号と電気信号との変換器（図示せず）とを有する。第１発光素子３５および第１受光素子３６は、接続ケーブル３４，１９を介して、載置部３１に載置された携帯電話機１４と電気的に接続可能な状態となっている。
【００６１】
第１発光素子３５は、変換機によって、広告データや身分証明用であるＩＤ（Ｉdentification）データに相当する電気信号を光信号に変換して送信を行う。第１発光素子３５は、例えば、面発光型半導体レーザ（ＶＣＳＥＬ：Vertical Cavity Surface Emitting Laser）で構成される。第１発光素子３５は、例えば、光を放出する部位（出射部）を有し、ここから広告データに相当する光信号の出射を行う。また、第１発光素子３５としては、例えば、半導体レーザ、半導体発光ダイオード、有機ＥＬなどが挙げられる。
【００６２】
第１受光素子３６は、例えば、第２通信装置２０から送信された光信号の受信を行う。第１受光素子３６は、例えば、広告装置２２から通信確立のための信号を受け取ったり、広告データの送信要求信号を受け取ったりする。第１受光素子３６は、例えば、フォトダイオード（PhotoDiode：ＰＤ）で構成される。第１受光素子３６は、例えば、光を取り込む部位（入射部）を有し、ここから各種光信号を受信する。また、第１受光素子３６としては、例えば、固体撮像素子、ＭＳＭ（Metal Semiconductor Metal）フォトディテクターなどが挙げられる。
【００６３】
また、図３に示すように、広告装置２２は、第２通信装置２０を構成する受信部としての第２受光素子３７と第２発光素子３８と、コンピュータを構成する第２ＣＰＵ３９とカウンタ４０とＲＯＭ４１と第２ＲＡＭ４２と、表示部２１とを有する。
【００６４】
第２受光素子３７は、第１発光素子３５から送信された広告データやＩＤデータに相当する光信号を電気信号に変換して受信する。第２受光素子３７は、第１受光素子３６と同様に、例えば、フォトダイオードである。第２受光素子３７は、第１発光素子３５から出射した光が入射部（図示せず）に入射することで光通信を行うことが可能となる。
【００６５】
第２発光素子３８は、例えば、通信確立のための信号や、広告データを受信するための要求信号に相当する電気信号を光信号に変換して送信する。第２発光素子３８は、例えば、第１発光素子３５と同様に、面発光型半導体レーザ（ＶＣＳＥＬ）で構成される。第２発光素子３８は、出射部（図示せず）から出射した光が、第１受光素子３６の入射部（図示せず）に入射することで光通信を行うことが可能となる。
【００６６】
第２ＣＰＵ３９は、例えば、携帯電話機１４の第１ＲＡＭ３３に記憶された広告データを受信するためのプログラムを実行させたり、受信した広告データを表示部２１に表示させるプログラムの実行を行う。
カウンタ４０は、表示部２１において広告データに基づく広告情報を一定時間表示させるために用いられる。
【００６７】
ＲＯＭ４１には、第２ＣＰＵ３９によって処理を実行するための様々なプログラムやデータが格納されている。また、ＲＯＭ４１には、例えば、広告情報の表示期間を定める情報が格納されている。
第２ＲＡＭ４２は、携帯電話機１４から第２受光素子３７を介して収集（受信）した広告データを始めとする各種データの記憶および読み出しに利用される。
【００６８】
図４は、広告情報表示システムの機能を模式的に示す機能ブロック図である。以下、広告情報表示システムの機能を、図４を参照しながら説明する。
図４に示すように、広告情報表示システム１１は、広告サーバ１２と、携帯電話機１４と、広告装置２２とを有する。広告サーバ１２は、広告データベース部５１と、第１ＩＤデータ記憶部５２と、広告料支払い処理部５３とを有する。
【００６９】
広告データベース部５１には、複数の広告主から依頼された広告データが蓄積されている。携帯電話機１４の保有者が携帯電話機１４を利用して希望する広告サイトにアクセスしたときに、広告データベース部５１から対応する広告データを読み出して携帯電話機１４に提供する。
【００７０】
第１ＩＤデータ記憶部５２には、広告装置２２から送信された、ユーザ身分証明用である携帯電話機１４の第１ＩＤデータおよび広告装置２２の第２ＩＤデータが記憶される。
広告料支払い処理部５３は、広告装置２２から受信した、携帯電話機１４の第１ＩＤデータおよび広告装置２２の第２ＩＤデータを基にして広告表示に携わった相手先を特定する。相手先が特定されたあと、広告の表示が行われた回数などから、広告表示に謝礼として支払われる広告料の計算が行われる。
【００７１】
携帯電話機１４は、第１通信接続部６０と、サイト先登録部５４と、第１広告データ受信部６５と、第１ＩＤデータ送信部５６と、第１ＲＡＭ３３とを有する。各種の機能部は、第１ＣＰＵ３２およびプログラムにより構築される部分である。
【００７２】
第１通信接続部６０は、通信ネットワークを通じて、携帯電話機１４と広告サーバ１２との接続を行う。これにより、携帯電話機１４から広告サーバ１２にアクセスして、広告データをダウンロードすることができる。
【００７３】
サイト先登録部５４は、広告データを取得するために広告サイト先を登録するためのプログラムである。広告サイトへの登録内容は、例えば、携帯電話機１４の保有者の氏名、住所、携帯電話機１４のアドレス、趣向性などである。携帯電話機１４の保有者は、これらの内容を入力し広告サーバ１２へ登録するための操作を行う。その後、携帯電話機１４は、広告サーバ１２に登録内容が登録されたことを示す第１ＩＤデータを取得する。なお、広告装置２２においても、予め広告サーバ１２に登録し、第２ＩＤデータを取得する。広告サーバ１２は、広告表示に携わったＩＤデータを受信することにより、相手先を特定することが可能となる。また、広告サーバ１２への登録は、このサイト先登録部５４のプログラムを実行することにより行ってもよいし、広告サイトに表示された項目に沿って個人情報などを入力するようにしてもよい。
【００７４】
また、携帯電話機１４の保有者は、例えば、最初に広告情報を取得するための広告自動更新ソフトを携帯電話機１４にダウンロードする。広告自動更新ソフトを入れなかった場合は、例えば、古い広告データを広告装置２２が収集（受信）することになる。これにより、広告サーバ１２から携帯電話機１４に常に更新された広告データが配信される。そして、携帯電話機１４によって受信した広告データは、第１ＲＡＭ３３に記憶される。
【００７５】
第１広告データ受信部６５は、広告サーバ１２から広告データの受信を行うためのプログラムである。第１ＣＰＵ３２が第１広告データ受信部６５のプログラムを実行することにより、広告サーバ１２から広告データをダウンロードする。ダウンロードされた広告データは、第１ＲＡＭ３３に記憶される。
【００７６】
第１ＩＤデータ送信部５６は、携帯電話機１４から広告装置２２に第１ＩＤデータを送信するためのプログラムである。第１ＣＰＵ３２が第１ＩＤデータ送信部５６のプログラムを実行することにより、第１ＲＡＭ３３に記憶された携帯電話機１４の第１ＩＤデータの読み出しを行うとともに、第１ＩＤデータを広告装置２２に送信する。
【００７７】
第１ＲＡＭ３３は、メモリである第１広告データ記憶部５７と、ＩＤデータ記憶部５８とを有する。
第１広告データ記憶部５７には、広告サーバ１２からダウンロードして取得した広告データが記憶されている。ＩＤデータ記憶部５８には、広告サーバ１２に登録して取得した携帯電話機１４の第１ＩＤデータが記憶されている。
【００７８】
広告装置２２は、第２通信接続部６３と、光通信判断部５９と、第２広告データ受信部６６と、判定部である広告データ判断部６１と、選択部６７と、広告エリア判定部６８と、受信管理部６９と、表示制御部７０と、ＩＤデータ受信部５５と、第２ＩＤデータ送信部６２と、第２ＲＡＭ４２とを有する。各種の機能部は、第２ＣＰＵ３９およびプログラムにより構築される部分である。
【００７９】
第２通信接続部６３は、通信ネットワークを通じて、広告装置２２と広告サーバ１２との接続を行う。これにより、広告装置２２から広告サーバ１２にアクセスして、例えば、第１および第２ＩＤデータを送信することが可能となる。
【００８０】
光通信判断部５９は、例えば、電気スタンド１６に入ってきた自動車１５の第１通信装置１８と広告装置２２の第２通信装置２０とが光通信することが可能か否かを判断するためのプログラムである。第２ＣＰＵ３９が光通信判断部５９のプログラムを実行することにより、第２通信装置２０から第１通信装置１８に、光通信するための要求信号をある時間おきに送信する。第１通信装置１８から要求信号に対する返信信号を受信すると、光通信可能な状態と判断する。
【００８１】
第２広告データ受信部６６は、携帯電話機１４から広告データを取得するためのプログラムである。第２ＣＰＵ３９が第２広告データ受信部６６のプログラムを実行すると、携帯電話機１４の第１広告データ記憶部５７に広告データが記憶されているか確認し、記憶されていれば広告データを収集（受信）し、記憶されていなければ広告データが無い旨を受信する。
【００８２】
広告データ判断部６１は、収集（受信）した広告データが新しいか否かを判断するためのプログラムである。第２ＣＰＵ３９が広告データ判断部６１のプログラムを実行すると、収集した広告データに含まれる表示期限データを確認し、表示期限内であるか否かを判断する。例えば、期間限定の安売りをしているお店の情報であれば、期間内であれば広告表示を行い、期間が過ぎれば意味の無い情報になってしまうので広告表示を行わない。
【００８３】
選択部６７は、同じ広告データを収集したとき新しい広告データであるか否かを判断して選択するためのプログラムである。第２通信装置２０において新規の広告データを収集すると、第２ＣＰＵ３９が選択部６７のプログラムを実行し、新規の広告データと同じ広告データが第２ＲＡＭ４２に記憶されているか否かを確認し、同じ広告データが記憶されていた場合には、広告データに含まれる更新日データを比較し、そのうち一番新しい更新日データを有する広告データを選択する。
【００８４】
広告エリア判定部６８は、決められた地域内に関係した広告データであるか否かを判断するプログラムである。第２ＣＰＵ３９が広告エリア判定部６８のプログラムを実行すると、収集した広告データに含まれるエリアデータを確認し、決められた地域内に関係する広告データであるか否かを判断する。例えば、広告装置２２が設置された場所に近いお店で安売りをしている広告データがあれば買い物できる範囲内であるので広告情報を表示し、離れた場所の広告データであれば買い物できる範囲内ではないので広告情報を表示しない。
【００８５】
受信管理部６９は、広告データの受信回数または受信頻度を管理するためのプログラムである。第２ＣＰＵ３９が受信管理部６９のプログラムを実行すると、収集した広告データを識別して、受信回数または受信頻度を求める。
【００８６】
表示制御部７０は、収集した広告データの表示方法を変えるためのプログラムである。第２ＣＰＵ３９が表示制御部７０のプログラムを実行すると、各種機能部で判断および選択された条件に従った表示を行う。
例えば、広告データ判断部６１が広告データに含まれる表示期限データを確認して表示期限内であると判断した場合には、表示制御部７０が広告データに基づく広告情報の表示を行う。表示期限内でないと判断した場合には、広告データに基づく広告情報の表示を行わない。
【００８７】
また、受信管理部６９が受信回数および受信頻度の高い広告データであると判断した場合には、表示制御部７０が広告データに基づく広告情報の１回当たりの表示時間を長くしたり、広告データに基づく広告情報の表示回数を多くしたりする。
また、選択部６７が選択した広告データに基づく広告情報を表示する。
また、広告エリア判定部６８が設定された地域内の広告データであると判断した場合に表示を行い、地域内の広告データでないと判断した場合には表示を行わない。
【００８８】
ＩＤデータ受信部５５は、携帯電話機１４の第１ＩＤデータを受信するためのプログラムである。第２ＣＰＵ３９がＩＤデータ受信部５５のプログラムを実行すると、第１ＣＰＵ３２に携帯電話機１４の第１ＩＤデータを受信するための要求信号を送信する。第１ＣＰＵ３２がこの要求信号を受け取ると、第１ＩＤデータ送信部５６のプログラムを実行させる。これにより、広告装置２２は、携帯電話機１４の第１ＩＤデータを受信することができる。受信した携帯電話機１４の第１ＩＤデータは、第２ＲＡＭ４２に記憶される。なお、広告装置２２の第２ＩＤデータも第２ＲＡＭ４２に記憶されている。
【００８９】
第２ＩＤデータ送信部６２は、広告装置２２から広告サーバ１２に、広告装置２２の第２ＩＤデータおよび携帯電話機１４の第１ＩＤデータを送信するためのプログラムである。第２ＣＰＵ３９が第２ＩＤデータ送信部６２のプログラムを実行すると、第２ＲＡＭ４２に記憶された携帯電話機１４の第１ＩＤデータおよび広告装置２２の第２ＩＤデータを読み出し、第２通信接続部６３によって広告サーバ１２に送信する。
【００９０】
第２ＲＡＭ４２は、記憶部としての第２広告データ記憶部６４を有する。第２広告データ記憶部６４では、第２通信装置２０によって収集（受信）した広告データの記憶および読み出しが行われる。また、第２ＲＡＭ４２には、携帯電話機１４の第１ＩＤデータおよび広告装置２２の第２ＩＤデータが記憶される。
【００９１】
図５は、広告情報表示システム（広告サーバ、携帯電話機および第１通信装置、広告装置）において、広告情報を表示するためのフローを示した図である。以下、広告情報を表示するための手順を、図５を参照しながら説明する。
【００９２】
ステップＳ１１では、広告データをダウンロードするために広告サイト先を登録する。入力する情報は、上記したように、携帯電話機１４の保有者の氏名、住所、携帯電話機１４のアドレス、趣向性などである。広告サイトは、登録内容に不備がなければ、携帯電話機１４に対し、登録された旨を示す第１ＩＤデータを送信する。携帯電話機１４の保有者は、受信した第１ＩＤデータを確認することで、広告サイトに登録されたことを判断する。
【００９３】
ステップＳ１２では、携帯電話機１４の保有者が広告情報を取得したいときに、広告サイトにアクセスする。
ステップＳ１３では、携帯電話機１４の第１通信接続部６０によって広告サーバ１２に接続し、ほしい広告情報があれば広告データを携帯電話機１４にダウンロードする。ダウンロードした広告データは、携帯電話機１４の表示部（図示せず）で広告情報を確認することができる。この広告データは、第１ＲＡＭ３３の第１広告データ記憶部５７に記憶される。
なお、予め広告サーバ１２に登録してある携帯電話機１４の保有者の趣向にあった広告情報が広告サーバ１２にあれば、携帯電話機１４の保有者がダウンロードする操作を行わなくても、広告サーバ１２から携帯電話機１４に広告データを送信するようにしてもよい。
【００９４】
ステップＳ１４では、携帯電話機１４を自動車１５に設けられた載置部３１（図３参照）に載置する。携帯電話機１４の保有者は、広告情報を見た後、載置部３１に載置することで、携帯電話機１４と第１通信装置１８とが電気的に接続可能な状態となる。
【００９５】
ステップＳ１５では、第１通信装置１８と広告装置２２の第２通信装置２０との通信を確立する。まず、自動車１５の運転者（携帯電話機１４の保有者）は、自動車１５に電気の供給が必要と判断したとき、電気スタンド１６に入る。次に、自動車１５を、電気供給口２４と電気供給機２３との位置（図１参照）が合うように停車する。これにより、自動車１５に備えられた第１通信装置１８と広告装置２２に備えられた第２通信装置２０との位置が近づく。第２通信装置２０からは、常に信号を発信したり、定期的に発信したりしている。第１通信装置１８は、この発信された信号を受信したら、第２通信装置２０に応答信号を返信する。これにより、第１通信装置１８と第２通信装置２０との通信が確立する。
【００９６】
ステップＳ１６では、広告装置２２から携帯電話機１４に、広告データを受信するための要求信号を送信する。
【００９７】
ステップＳ１７では、要求信号に基づいて、携帯電話機１４から広告装置２２に広告データを送信する。携帯電話機１４に広告データがあれば広告データを送信し、広告データがなければ広告データが無い旨のメッセージを送信する。収集（受信）した広告データは、第２広告データ記憶部６４に記憶される。
【００９８】
ステップＳ１８では、携帯電話機１４の第１ＩＤデータを広告装置２２に送信する。第１ＩＤデータの送信は、広告データを送信するときと同じタイミングで送信するようにしてもよい。受信した携帯電話機１４のＩＤ番号は、第２ＲＡＭ４２に記憶される。
【００９９】
ステップＳ１９では、広告装置２２の表示部２１に、広告情報を表示する。広告情報の表示は、表示制御部７０のプログラムを実行することにより、広告データに含まれる情報から判断および選択された表示を行う。例えば、表示期限内の広告データの表示を行ったり、受信回数および受信頻度の高い広告データの表示を長くしたり、地域内の広告データを表示したりする。これにより、有益な広告情報を携帯電話機１４の保有者のみでなく大勢の人に広告を見せることができる。
【０１００】
ステップＳ２０では、広告装置２２から広告サーバ１２に、携帯電話機１４の第１ＩＤデータおよび広告装置２２の第２ＩＤデータを送信する。第１および第２ＩＤデータの送信は、広告装置２２の設置者が送信のための操作して行ってもよいし、操作を行わなくても自動で送信されるようにしてもよい。また、送信する第１および第２ＩＤデータは、広告装置２２で表示を行った広告データを所有していた携帯電話機１４および広告装置２２のものである。広告サーバ１２で受信した２つのＩＤデータは、第１ＩＤデータ記憶部５２に記憶される。
【０１０１】
ステップＳ２１では、広告サーバ１２（広告サイト開設者）から携帯電話機１４の保有者および広告装置２２の設置者に広告料を支払う。まず、広告サーバ１２は、第１ＩＤデータ記憶部５２に記憶した２つのＩＤデータ（携帯電話機１４の第１ＩＤデータ、広告装置２２の第２ＩＤデータ）を読み出す。この２つの第１および第２ＩＤデータを基に、広告装置２２への広告表示に携わった携帯電話機１４および広告装置２２を特定する。広告サーバ１２は、広告料支払い処理部５３によって、例えば、広告表示の回数に応じた広告料を計算し、携帯電話機１４の保有者および広告装置２２の設置者に広告料を支払うための通知を行う。
【０１０２】
ステップＳ２２では、携帯電話機１４の保有者および広告装置２２の設置者が、広告料を受け取る。広告料は、例えば、広告サーバ１２から受け取った通知情報から、携帯電話機１４の保有者および広告装置２２の設置者の指定口座に振り込まれる。広告料は、例えば、月ごとに支払われるようにしてもよいし、その都度支払われるようにしてもよい。
【０１０３】
図６は、広告装置の第２ＣＰＵ３９が行う処理を処理順に示すフローチャートである。以下、広告装置が広告情報を表示するステップを、図６を参照しながら説明する。
【０１０４】
図６に示す、ステップＳ３１では、光通信判断部５９によって、自動車１５に備えられた第１通信装置１８と光通信することが可能か否かを判断する。光通信することが可能（ステップＳ１５参照）であれば、ステップＳ３２に移行する。光通信が出来なければ、ステップＳ３１の処理を繰り返す。
【０１０５】
ステップＳ３２では、第２広告データ受信部６６によって、携帯電話機１４が広告データを保有しているか否かを判断する（ステップＳ１６参照）。広告データがあれば、ステップＳ３３に移行する。広告データがなければ、第２ＣＰＵ３９の処理を終了する。
【０１０６】
ステップＳ３３では、第２広告データ受信部６６によって、携帯電話機１４から広告データを収集（受信）する（ステップＳ１７参照）。広告装置２２は、第１広告データ記憶部５７によって、広告データのみがまとめられて記憶されているので、広告データのみを収集することが可能となっている。
【０１０７】
ステップＳ３４では、広告データ判断部６１によって、収集した広告データが表示期限内か否かを判断する。表示期限内の広告データであれば、ステップＳ３５に移行する。表示期限内の広告データでなければ、第２ＣＰＵ３９の処理を終了する（表示しない）。
【０１０８】
ステップＳ３５では、同じ広告データが第２広告データ記憶部６４にあるか否かを判断する。同じ広告データがあれば、ステップＳ３６に移行する。同じ広告データがなければ、ステップＳ３９に移行する。
【０１０９】
ステップＳ３６では、収集した広告データと記憶されている広告データとの広告データに含まれる更新日データを比較し、収集した広告データが新しい広告データであるか否かを判断する。更新されている新しい広告データであれば、ステップＳ３７に移行する。更新されていない古い広告データであれば、第２ＣＰＵ３９の処理を終了する（表示しない）。
【０１１０】
ステップＳ３７では、広告データが地域内に関係する広告情報であるか否かを判断する。地域内に関係のある広告データであれば、ステップＳ３８に移行する。地域内の情報でなければ、第２ＣＰＵ３９の処理を終了する（表示しない）。また、地域内の広告情報でなくても表示を行うようにしてもよい。
【０１１１】
ステップＳ３８では、広告データの受信回数および頻度が高いか否かを判断する。高ければ、ステップＳ４０に移行する。高くなければ、ステップＳ３９に移行する。
【０１１２】
ステップＳ３９では、通常の広告表示を行う。新規の広告データを収集（受信）した場合や、受信回数および頻度が高くない場合にこの表示を行う。
【０１１３】
ステップＳ４０では、特殊な広告表示を行う。受信回数や受信頻度が高い広告データについてこの表示を行う。特殊な広告表示とは、例えば、１回当たりの表示時間を長くしたり、表示回数を多くしたりする。
【０１１４】
ステップＳ４１では、表示した広告データを第２広告データ記憶部６４に記憶する。
ステップＳ４２では、第２ＩＤデータ送信部６２によって、携帯電話機１４の第１ＩＤデータおよび広告装置２２の第２ＩＤデータを、広告サーバ１２に送信する。
【０１１５】
以上詳述したように、本実施形態によれば、以下に示す効果が得られる。
（１）本実施形態によれば、広告情報表示システム１１は、携帯電話機１４を保有する人が趣向性などを基にダウンロードした広告データを、広告装置２２が収集（受信）することで広告情報を表示することが可能となる。例えば、地元の人が地元にある安売りの店の広告情報を携帯電話機１４にダウンロードして情報を得る。広告装置２２は、この携帯電話機１４から広告データを収集することにより、地元に関係した広告情報を表示することができる。また、電気スタンド１６に立ち寄る人であれば、車に関連した広告情報を表示することも可能である。よって、広告情報を見たり受信したりする人に対して、有益な（厳選された）広告情報を表示させることができ、不要な広告情報を少なくすることができる。また、広告装置２２の設置者は、不要な広告が少なくなり、有益な広告情報が多くなることによって、サービスを向上させることが可能となり、電気スタンド１６に来るお客の数を増加させることができる。
【０１１６】
（２）本実施形態によれば、広告情報表示システム１１は、携帯電話機１４の保有者が、広告装置２２に広告データが収集されて表示されることで、広告サーバ１２から広告料が支払われるので、広告装置２２に広告データを提供しやすい環境をつくることができる。一方、広告装置２２の設置者も、収集した広告情報を広告装置２２に表示させることによって、広告サーバ１２から広告料が支払われるので、広告装置２２を設置しやすい環境をつくることができる。その結果、有益な広告情報を、ダウンロードした人のみでなく、大勢の人に広告を表示することができるので、より効果的に広告表示を行うことができる。
【０１１７】
（３）本実施形態によれば、有線通信に比べ無線通信の通信速度が遅いが、自動車１５に備えられた第１発光素子３５と、広告装置２２に備えられた第２受光素子３７とによって光通信を行うので、画像データや音声データなどの大きな容量の広告データであっても転送速度を早くすることができ、瞬時に広告データを送受信することが可能となる。よって、電気スタンド１６で電気を供給するわずかな時間であっても、広告データの送受信を行うことが可能となり、広告装置２２に広告情報の表示を行うことができる。
【０１１８】
なお、本実施形態は上記に限定されず、以下のような形態で実施することもできる。
（変形例１）前記実施形態では、広告装置２２から広告サーバ１２に、広告表示に携わった携帯電話機１４および広告装置の第１および第２ＩＤデータを送信することで、広告サーバ１２から広告料などの謝礼を受け取っていた。これを、携帯電話機１４から広告サーバ１２に、広告表示に携わった携帯電話機１４および広告装置２２の第１および第２ＩＤデータを送信するようにしてもよい。
また、２つのＩＤデータを広告サーバ１２に送信する時期を、広告装置２２で表示してから送信するようにしていた。これを、ある期間で区切ってまとめて送信するようにしてもよい。
また、広告サーバ１２は、携帯電話機１４の保有者および広告装置２２の設置者に広告料を支払っていた。これを、携帯電話機１４のみに支払うようにしてもよい。広告装置２２の設置者は、広告料をもらわなくても、有益な広告情報を表示することでお客を増やすことができる。
【０１１９】
（変形例２）前記実施形態では、広告サーバ１２は、広告情報の表示に貢献した謝礼として、携帯電話機１４の保有者および広告装置２２の設置者に対し、例えば広告料を支払っていた。これを、広告料に限定されず、ポイント、割引、優待などのサービスを受けるようにしてもよい。また、例えば、広告サーバ１２から携帯電話機１４の保有者および広告装置２２の設置者に、商品をプレゼントしたりするようにしてもよい。
【０１２０】
（変形例３）前記実施形態では、広告情報が欲しいとき、その都度、携帯電話機１４の保有者が広告サーバ１２にダウンロードして取得するようにしていた。これを、予め登録した趣向性などの情報を基に、自動で広告サーバ１２から携帯電話機１４に広告情報が送信されるようにしてもよい。
【０１２１】
（変形例４）前記実施形態では、広告装置２２を電気スタンド１６に設置して、広告情報を表示するようにしていた。これを、電気スタンド１６に限らず、ガソリンスタンドに設置するようにしてもよい。また、コンビニエンスストアやデパートのような販売店に設置するようにしてもよい。この場合、コンビニエンスストアおよびデパートの駐車位置を基準に、自動車１５と光通信可能な状態になるように広告装置２２を設置することにより、広告データを収集することが可能となる。
【０１２２】
（変形例５）前記実施形態では、広告サーバ１２から、広告情報を表示するのに携わった携帯電話機１４の保有者および広告装置２２の設置者に対して、広告料が支払われていた。これを、広告サーバ１２からだけでなく、広告装置２２の設置者から携帯電話機１４の保有者に対して、広告データ提供料やサービスなどを与えるようにしてもよい。例えば、電気スタンド１６で供給する電気代を割引きしたり、粗品をプレゼントしたりするようにしてもよい。これによれば、広告装置２２の設置者は、電気スタンド１６の利用者を多くさせることが可能となる。更に、利用者が多くなれば、収集できる広告データを増やすことができるので、不要広告を少なくしたバリエーションのある広告表示を行うことができる。
【０１２３】
（変形例６）前記実施形態では、電気スタンド１６には複数の電気供給機２３が設置されており、電気供給機２３の数と同等に広告装置２２が設置されていた。この場合、表示部２１に表示される広告情報を大勢の人に見せることができるように、広告装置２２の位置をお互いずらすように配置されていることが望ましい。
また、複数の電気供給機２３に対し、広告装置２２が１つであってもよい。この場合、複数の携帯電話機１４から収集した広告情報を、１つの広告装置２２の表示部２１によって、順次表示していくようにしてもよい。
【０１２４】
（変形例７）前記実施形態では、第１通信装置１８と第２通信装置２０とは、光通信によって広告データを送受信していたが、光通信に限定しなくてもよい。
【図面の簡単な説明】
【０１２５】
【図１】一実施形態における、広告情報表示システムの構成を模式的に示す構成図。
【図２】自動車と広告装置とが光通信を行っている状態を示す模式図。
【図３】自動車の携帯電話機および第１通信装置と、広告装置の第２通信装置および表示部などとの電気的構成を模式的に示すブロック図。
【図４】広告情報表示システムの機能を模式的に示す機能ブロック図。
【図５】広告情報表示システムにおいて、広告情報を表示するためのフローを示す図。
【図６】広告装置の第２ＣＰＵが行う処理を処理順に示すフローチャート。
【符号の説明】
【０１２６】
１１…広告情報表示システム、１２…広告サーバ、１３…プロバイダ、１４…携帯端末としての携帯電話機、１５…移動体としての自動車、１６…電気スタンド、１７…インターネット、１８…通信装置を構成する第１通信部である第１通信装置、１９…接続ケーブル、２０…通信装置を構成する第２通信部である第２通信装置、２１…表示部、２２…広告装置、２３…電気供給機、２３ａ…本体、２３ｂ…電気供給ケーブル、２３ｃ…先端部、２４…電気供給口、２６…接続ケーブル、２７…地上、３１…載置部、３２…第１ＣＰＵ、３３…第１ＲＡＭ、３４…接続ケーブル、３５…送信部としての第１発光素子、３６…第１受光素子、３７…受信部としての第２受光素子、３８…第２発光素子、３９…コンピュータを構成する第２ＣＰＵ、４０…カウンタ、４１…コンピュータを構成するＲＯＭ、４２…コンピュータを構成する第２ＲＡＭ、５１…広告データベース部、５２…ＩＤデータ記憶部としての第１ＩＤデータ記憶部、５３…広告料支払い処理部、５４…サイト先登録部、５５…ＩＤデータ受信部、５６…第１ＩＤデータ送信部、５７…メモリとしての第１広告データ記憶部、５８…ＩＤデータ記憶部、５９…光通信判断部、６０…第１通信接続部、６１…判定部である広告データ判断部、６２…第２ＩＤデータ送信部、６３…第２通信接続部、６４…記憶部としての第２広告データ記憶部、６５…第１広告データ受信部、６６…第２広告データ受信部、６７…選択部、６８…広告エリア判定部、６９…受信管理部、７０…表示制御部。
【図１】
2006178259.tif 000003
【図２】
2006178259.tif 000004
【図３】
2006178259.tif 000005
【図４】
2006178259.tif 000006
【図５】
2006178259.tif 000007
【図６】
2006178259.tif 000008